(57)【要約】      （修正有）【課題】サッシガラスの一部がくり抜かれ不正開錠されようとしても、開錠を大幅に困難にし防犯性能を大幅に向上させると共に、障子等建具が近接して配置されていても当該建具の左右いずれからでも操作できる係合装置を、従来同等以下のコストパフォーマンスで提供する。【解決手段】係合腕を加工しやすい単純構造にして十分な強度をもつものとし、二次係脱装置として簡単に開錠できず、かつカギの持ち運びを不要とする位置合わせ錠を採用する。サムターン２の引き起こし具合により、サムターン２の支点とサムターン２に装着されたばね１６の位置関係により、より確実に係合される構造とする。サムターン２と係合腕１を一体的Ｌ字構造かつガイド溝に沿ってスライドできる構造で、サムターン２の動きの許容幅が、係合、非係合に変化するために十分な係合腕１の動きに増幅させる構造にして、従来多用されてきた回転錠と同等以下の単純なものとする。【選択図】図２
2011102486.tif 000002
【特許請求の範囲】
【請求項１】
サッシ窓枠の室内側に内装され、外側引戸を繋ぐ係合腕１の両側に取付けられ、円周上の特定の箇所に設けられた切れ込み５と、サムターン２に設けた突起３の位置により開錠を制御する円盤４を取付けた施錠装置。
【請求項２】
請求項１において、サムターン２には、係合金属具１の一端が長孔１３に挿入、長孔の幅（１４と１５の幅）により係合腕１の動きが制約・可動するよう取り付けられ、サムターン２と係合腕１が連動することにより施錠・開錠されるもので、作用点と支点の距離関係により外側引戸を繋ぐ作用点の動きが増幅されるほか，これらを主要部材とする内子がガイド溝１１に沿って前後に可動できることにより係合しやすい構造とした施錠装置。
【請求項３】
内側引戸と繋ぐ係合腕１が入り込む孔７を空けるために除く部分の部材を框の内側に折り込んで強度が補強された外側引戸の受け金具。
【発明の詳細な説明】
【技術分野】
【０００１】
本発明は、防犯性を簡易かつ大幅に向上させるため、一次係脱装置の動きを制限する二次係脱装置として、番号合わせ錠に代表される位置合せ錠を備えた建具に関する。
錠内部の係脱機構としては、例えば建具の一例としての引き違い戸に設けられた錠用サムターン係脱機構が該当する。建具用サムターン係脱機構は、普通一般の家庭において、ガラス窓など部屋の開口部から泥棒が侵入するのを防止する等のために使用されている。
【背景技術】
【０００２】
従来の引き違い戸錠は、一般に内側引戸の框に外側引戸の受け金具と係合する施錠片を動かすための操作体（サムターン）が設けられ、サムターンの回転を阻止するため二次係脱装置としてストッパーが設けられている。この方式は、サムターンの極めて単純な回転により施錠・開錠できるメリットがあるが、一般に錠位置や係合状態が外部から容易に把握でき、今仮に泥棒が留守宅に忍び込もうとしてガラスの一部をくり抜き、当該くり抜き部分から手を入れて内側のサムターンを操作した場合には、簡単に不正解錠が行われる可能性があるなど防犯上の信頼レベルは低い。ストッパーの動きも一般に直線など単純な動きで、前記の不正開錠等には効果がない。
最近、ある社が室内側から見える戸の内壁に固定され、鍵を回転させることにより施錠・開錠するシリンダー部材を有する係脱装置を特許出願した。（特許文献１参照）  しかし、この方式でもピッキング等かぎを用いない不正開錠には対抗できないほか、施錠・開錠には鍵の携行が必須である煩わしさは避けがたい。
【先行技術文献】
【特許文献】
【０００３】
【特許文献１】特開２００３−１３８８０３号広報
【発明の概要】
【発明が解決しようとする課題】
【０００４】
本発明の第一の目的は、防犯性能を大幅に向上させることである。錠まいを複数設けることにより同等の目的は達成できるが、操作の手間も比例的に増加することになり、結果使用しなくなるおそれもあるほか、コストも比例的に上昇する。本発明は、コストパフォーマンスを低下させず、防犯性能を大幅に向上させるものである。
【０００５】
第二の目的は、障子等建具が近接して配置されていても、当該建具がない場合と同等の操作（開錠・施錠）ができるものとする操作性の向上である。
【０００６】
第三の目的は、外側引戸の係合構造を十分な耐久性をもつ簡易な内装構造にする加工工程の簡素化である。
【課題を解決するための手段】
【０００７】
上記目的を達成するため本発明における施錠装置は、サッシ窓枠の室内側に内装される施錠装置で、外側引戸を繋ぐ係合腕１の両側に取付けられ、円周上の特定の箇所に設けられた切れ込み５と、サムターン２に設けた突起３の位置により開錠を制御する円盤４を取付けたことを特徴とする。
【０００８】
この場合、サムターン２には、係合腕１の一端が長孔１３に挿入、長孔の幅（作用点１４と作用点１５の幅）により係合腕１の動きが制約・可動するよう取り付けられ、サムターン２と係合腕１が連動することにより施錠・開錠されるもので、図３（c）に模式的に示すように、作用点と支点の距離関係により外側引戸を繋ぐ作用点の動きが増幅されるよう、また、ガイド溝１１に沿って内子が前後に可動することにより係合しやすいよう配慮されている。
【０００９】
本施錠装置と組合わせて用いる受け金具は、内側引戸と繋ぐ係合腕１が入り込む孔７を空けるために除く部分の部材を框の内側に折り込むことにより、強度を補強するとともに部材を無駄にすることなく簡単に加工できる。
【００１０】
サムターン２は、サムターン２に装着されたばね１６の作用により、サムターン２の支点との位置関係に応じて、より強く係合あるいは反対に非係合するよう作用する。
【００１１】
図３（ｂ）及び（ｃ）に模式的に示すように，サムターン２と係合腕１は一体的Ｌ字形構造とし、サムターン２の動き（サッシ窓枠と障子等建具の間隔以内）が増幅されて、係合腕１の係合、非係合の切換えに十分な動きに増幅されるとともに、サムターン２の動きの許容幅を広げるため、ガイド溝１１に沿ってスライドできる。
【００１２】
ここで「建具」とは、部屋の仕切りや外壁との仕切りに用いる、開け閉めすることができる障子、襖、窓、戸などであって、係脱機構を取り付けることができる有体物をいう。
【発明の効果】
【００１３】
鍵本体は、サムターン２、かけ金１、開錠番号に対応した円盤４二枚、ばね１６及び受け金７、並びにガイド溝１１のみを主要部材とする単純な加工、単純な構成で、室内側から見える戸の内壁に固定され、Ｌ字形のサムターン２の両端に取り付けた突起３と、サムターン２を挟むように取り付けられた円盤４の円周上の特定箇所に設けられた切れ込み５との位置関係でサムターン２の動きを制限されるという原始的な機構によって、防犯性を格段に向上させており、かぎの持ち運びの煩わしさから開放するとともに、室内側からは容易に位置合せができるのに対して、室外からは合せ位置が見えず番号錠機能を解除する難しさが著しく増大するため、不正開錠意欲を著しく減退させるものである。
【００１４】
サムターン２の引起し具合により、「クラッチ係合状態」か「クラッチ非係合状態」かを離れた場所からでも視覚上容易に判別でき、万一、係合不良が起こった場合も容易に確知でき、防犯上の安全性を高めることができる。
【００１５】
内側引戸框に孔７を空けるために除く部分の３辺に切込みを入れ、部材を框の内側に折り込むことにより、不要な部分を取り除き、繋ぎ部分の強度を単純加工で補強するムダを出さないエコな設計である。
【００１６】
また、ばね１６の装着位置とサムターン２の引起し角度により、ばね１６の力の作用方向が支点１２を回転の中心として、施錠（図３中、実線で示す。）・開錠（図３中、破線で示す。）で反対方向に切り替わり(図中、実線矢印又は破線矢印)、係合部材が指定された位置まで着実に誘導され、より確実に係合又は非係合される機能をもつ。
【００１７】
また、サムターン２の引き起こし及び内子のスライドといった二段階動作により、サムターン２の出っ張り具合を、障子等室内側の他の建具との間隔以下にすることができ、図５に示すような障害（サッシの室内側に障子等の建具がある場合、従来、一方向からしかサムターンの操作ができなかった不便さ）を解消できる。
【図面の簡単な説明】
【００１８】
【図１】サムターンの装着を示す概要図
【図２】係合腕とサムターンの連結関係を示す説明図（ａ）、サムターンを押し下げた時の作用説明図（ｂ）、サムターンを押し上げた時の作用説明図（ｃ）、
【図３】サムターンに装着されたばねの作用説明概要図（ａ）、（ｂ）、（ｃ）
【図４】框に装着される内子の分解図
【図５】障子等建具がサムターンの回転の障害になる例説明図
【図６】施錠、開錠説明図（ａ）、（ｂ）、（ｃ）、（ｄ）、及び円盤が位置合せ錠の作用を果たす(二次係脱制御機能)説明図（ｅ）、（ｆ）、（ｇ）
【発明を実施するための形態】
【００１９】
まず本発明の第１実施例を建具（例えば引き違い戸）Ｙに適用した発明の実施の環境について説明する。また、図1で示す本実施例では、引き違い戸錠用サムターン係脱機構Ｚに適用した例で説明する。このサムターン係脱機構Ｚは、サムターン２、かけ金１、開錠番号に対応した円盤４二枚、ばね１６及び受け金７、並びにガイド溝１１のみを主要部材とする単純構成・単純加工のものとし、従来多用されてきた回転錠と同等以下の単純さとする。
【００２０】
このサムターン係脱機構Ｚにおいて、一次係合であるかけ金具１は施錠片の一例としての矩形金属枠（係合腕）で、この係合腕１は外側引戸の受け金具７に係合するものであるが単純構造にし、内側引戸の框(かまち)に組み込むことを可能にして、その位置を室外側から見えにくくするとともに、二次係合装置として位置合せ錠機能をもたせることにより防犯性の向上を図っている。
【００２１】
ちなみに、図１に示すように、係合パーツは室内側と室外側の重なりを有するアルミサッシに代表される窓の戸の室内側の引戸枠（框）凹部aに固定され、サムターン２の両端に取り付けた突起３と、サムターン２を挟むように取り付けられた円盤４の円周上の特定箇所に設けられた切れ込み５との関係でサムターン２の動きを制限されることにより錠機能を果たし、その部材がガイド溝１１に沿って前後に可動することにより係合しやすくしている。
【００２２】
また、外側窓枠には、切断加工により、受け金具、孔を設けるが、当該切除部分は切り離すことなく切片を折り返し・接着加工等して強度を補強することにより、廃材の排出を抑制するとともに防犯性の向上を図る。
以下、本発明の実施の環境に関連する部分について順次説明するが、細部的な事項はその説明を割愛する。
【実施例】
【００２３】
係合腕１が連結されたサムターン２を押し込むと、まず内子が押し込まれ、次に係合腕１は外側引戸の受け金具７に掛かるとともに内側引戸に引き寄せられ、外側引戸と内側引戸がしっかり係合される。
【００２４】
図２に示すように、サムターン２には作用点１４及び作用点１５で示すように外側引戸側により広く開いた矩形孔１３を有する。この矩形孔１３に差し込まれ１７を支点として、矩形孔１３の上部作用点１４で押し下げられ矩形孔下部作用点１５で押し上げられる回転可能な係合腕１が取り付けられている。回転可能な係合腕１は、矩形孔上部作用点１４により押し下げられると、外側引戸の受け金具７に掛かる高さに押し下げられる（ｂ）。逆に、矩形孔下部作用点１５により押し上げられると、外側引戸の受け金具７に掛からない高さに押し上げられる（ｃ）。
【００２５】
また、サムターン２には、図３に示すように、サムターン２の動きによって支点１２を跨いで動くように、サムターン２の支点１２との相対関係を調整してばね１６が取り付けられている。
このばね１６は、図３（ａ）の実線で示すサムターン２が押し込まれている場合はばね１６の張力作用線がサムターン２の支点１２より上方にありサムターン２をより押し込む方向に作用する。(反時計まわりの作用)
逆に図３（ａ）の破線で示すサムターン２が引き出されている場合は、ばね１６の張力作用線がサムターン２の支点１２より下方にありサムターン２をより引き出す方向に作用する。(時計まわりの作用)
【００２６】
係脱機構Ｚに取り付けられた円盤４は、係合部材の両側から中心軸棒を介して取り付けられ、円盤４の双方とも円周上に切れ込み５を有し、互いに独立して回転できる。一方、サムターン２には図４に示すように両側に突起３が取り付けられている。切れ込み５と突起３が整合した場合、図６（ｅ）に破線で，あるいは図６（ｆ）に模式的に示すように突起３の動きの制約が緩和されサムターン２を引き出すことが可能になり、図６（ｅ）に実線で，あるいは図６（ｇ）に模式的に示すように切れ込み５と突起３の位置関係がそれ以外にある場合、突起３の動きが障害を受けサムターン２を引き出すことができない。したがって、係合腕１は外側引戸受け金具７に係合した状態から開錠できない。すなわち、番号錠の機能を有するものとなる。ちなみに円盤４はさらに増やすことが可能であり、これにより開錠の難しさは指数級数的に上昇する。
【００２７】
なお，受け金具１はサムターン２の動作により，図６（ａ）又は（ｂ）に示すように受金具７に係合する高さ，あるいは図６（ｃ）又は（ｄ）に示すように係合が外れる高さに移動した後、ガイド溝１１に沿って前後にスライドし、外側サッシ引戸の開閉に障害にならない構造としている。
【符号の説明】
【００２８】
Ｚ…サムターン係脱機構、Ｙ…建具、
１…係合腕、２…サムターン、３…サムターン突起、４…円盤、
５…位置合せ錠機能のための円盤切れ込み、
６、８、９…係合腕や円盤を支持する躯体、７…外側サッシ受け金具、
１０…内子スライド基盤、１１…ガイド溝、１２…サムターン支点、
１３…係合腕接続孔、１４、１５…サムターンの係合腕に対する作用点、
１６…ばね、１７…係合腕止め軸、
【図１】
2011102486.tif 000003
【図２】
2011102486.tif 000004
【図３】
2011102486.tif 000005
【図４】
2011102486.tif 000006
【図５】
2011102486.tif 000007
【図６】
2011102486.tif 000008